(57)【要約】【課題】貯湯タンクと水熱交換器を固定する固定金具から貯湯タンクの放熱が発生し、貯湯タンクの温度が低下する。それによって、1次回路を通る湯温が低下し、水熱交換器の性能が低下する。【解決手段】水熱交換器１０は１次往き管１２、２次戻り管１３、２次往き管１４、１次戻り管１５がそれぞれ接続されており、水熱交換器１０の上方から伸びている１次往き管１２を、水熱交換器１０の底部まで伸ばし、底部からコの字に曲げて水熱交換器１０を支持しつつ、再び上方側に伸ばして接続する。水熱交換器１０の上方から伸びている２次戻り管１３は水熱交換器１０の上部で接続される。また、水熱交換器１０の下方から伸びている２次往き管１４、１次戻り管１５は、水熱交換器１０の下部で接続される。【選択図】図２
2006343010.tif 000002
【特許請求の範囲】
【請求項１】
貯湯タンクと、熱交換器を介して前記貯湯タンクの上部と下部を接続する１次側回路と、放熱手段と前記熱交換器を備える２次側回路と、前記１次側回路中を流れる湯水を前記熱交換器へ導く１次往き管と、前記熱交換器から流れる湯水を前記貯湯タンク下部へ導く１次戻り管と、前記２次側回路の湯水を前記熱交換器へ導く２次往き管と、前記熱交換器から流れる湯水を前記放熱手段へ導く２次戻り管とを備え、前記熱交換器は前記１次往き管、１次戻り管、２次往き管、２次戻り管のうち少なくとも１つの管により支持されている貯湯式給湯器。
【請求項２】
熱交換器は、１次往き管、１次戻り管、２次往き管、２次戻り管の少なくとも１つの管を前記熱交換器の底部で折り曲げることにより支持される請求項１記載の貯湯式給湯器。
【請求項３】
熱交換器は、１次往き管、１次戻り管、２次往き管、２次戻り管の少なくとも１つの管を前記熱交換器の頂部で折り曲げることにより支持される請求項２記載の貯湯式給湯器。
【請求項４】
熱交換器は、１次往き管、１次戻り管、２次往き管、２次戻り管の少なくとも１つの管を前記熱交換器の側面に巻きつけて配管する請求項２記載の貯湯式給湯器。
【請求項５】
熱交換器の底部における、１次往き管、１次戻り管、２次往き管、２次戻り管の少なくとも１つの管の折り曲げ形状を波型形状とする請求項２〜４のいずれか１項に記載の貯湯式給湯器。
【請求項６】
熱交換器の底部における、１次往き管、１次戻り管、２次往き管、２次戻り管の少なくとも１つの管の折り曲げ箇所において、前記管の材質を異なる材質とする請求項２〜４のいずれか１項に記載の貯湯式給湯器。
【発明の詳細な説明】
【技術分野】
【０００１】
本発明は、貯湯式給湯器に関するものである。
【０００２】
従来、この種の貯湯式給湯器は、水熱交換器を介して貯湯タンク内の湯水と風呂水とを熱交換するものである（例えば、特許文献１参照）。
【０００３】
図６は、特許文献１に記載された従来の貯湯式給湯器であって、筐体６１内に貯湯タンク６２と水熱交換器６３が内蔵されており、水熱交換器６３を介して貯湯タンク６２内の湯水と風呂水とを熱交換していた。貯湯タンク６２の湯水は、往き側パイプ６４を通じて水熱交換器６３へ供給され、戻り側パイプ６５を通じて貯湯タンク６２へ戻される。また、風呂水は戻り配管６６から往き配管６７を介して水熱交換器６３へ供給される。
【０００４】
また、特許文献１中には直接的に明言されていないが、水熱交換器６３は貯湯タンク６２に設けられる固定金具を介して固定されており、筐体６１内の限られたスペースを有効的に利用している。
【特許文献１】特開２００４−１４４３６６号公報
【発明の開示】
【発明が解決しようとする課題】
【０００５】
しかしながら、上記従来の構成では、貯湯タンクと熱交換器を固定する固定金具から貯湯タンクの放熱が発生し、貯湯タンクの温度が低下する。貯湯タンクの温度が低下することで熱交換器を介する1次回路を通る湯温が低下し、熱交換器の性能が低下する。さらに熱交換器の性能が低下するため放熱手段の効率が低下し放熱手段を十分に満足させるためには多くの時間を必要とする課題があった。
【課題を解決するための手段】
【０００６】
前記従来の課題を解決するために、本発明の貯湯式給湯器は、貯湯タンクと、熱交換器を介して貯湯タンクの上部と下部を接続する１次側回路と、放熱手段と前記熱交換器を備える２次側回路と、１次側回路中を流れる湯水を熱交換器へ導く１次往き管と、熱交換器から流れる湯水を貯湯タンク下部へ導く１次戻り管と、２次側回路の湯水を熱交換器へ導く２次往き管と、熱交換器から流れる湯水を前記放熱手段へ導く２次戻り管とを備え、熱交換器は１次往き管、１次戻り管、２次往き管、２次戻り管のうち少なくとも１つの管により支持されるものである。
【０００７】
これにより、熱交換器の１次往き管、１次戻り管、２次往き管、２次戻り管のうち少なくとも１つの管を用いて熱交換器を支持するため貯湯タンクと熱交換器を固定する固定金具を必要としない。
【発明の効果】
【０００８】
本発明の貯湯式給湯器は、本発明の貯湯式給湯器は貯湯タンクと熱交換器を固定する固定金具の変わりに熱交換器のいずれかの管で熱交換器を支持するため、貯湯タンクの熱を固定金具介からの放熱により貯湯タンクの温度低下が無くなり、熱交換器の熱効率が低下を無くし放熱手段の熱効率の低下が無くなり短時間で放熱手段を十分に満足させることができる。
【発明を実施するための最良の形態】
【０００９】
第１の発明は、貯湯タンクと、熱交換器を介して貯湯タンクの上部と下部を接続する１
次側回路と、放熱手段と前記熱交換器を備える２次側回路と、１次側回路中を流れる湯水を熱交換器へ導く１次往き管と、熱交換器から流れる湯水を貯湯タンク下部へ導く１次戻り管と、２次側回路の湯水を熱交換器へ導く２次往き管と、熱交換器から流れる湯水を前記放熱手段へ導く２次戻り管とを備え、熱交換器は１次往き管、１次戻り管、２次往き管、２次戻り管のうち少なくとも１つの管により支持される貯湯式給湯器である。
【００１０】
これによって、少なくとも1つの管で熱交換器を支持するために貯湯タンクと熱交換器を固定する固定金具を必要としないため、タンクの熱を固定金具からの放熱を防ぐことができタンクの熱を逃がさない。さらに、タンクの熱を逃がさないため一次回路の温度低下を防ぎ熱交換器の性能を低下させない。熱交換器の性能を低下させないため放熱手段を最適な条件で運転できる。
【００１１】
第２の発明は、特に、第１の発明において、熱交換器は１次往き管、１次戻り管、２次往き管、２次戻り管の少なくとも１つの管を熱交換器の底部で折り曲げることにより支持されるものである。
【００１２】
これによって、熱交換器のいずれかの管を用いて熱交換器の底で管を折り曲げ熱交換器を支持することができる。そのため貯湯タンクと熱交換器を固定する固定金具を必要としない。
【００１３】
第３の発明は、特に、第２の発明において、熱交換器は１次往き管、１次戻り管、２次往き管、２次戻り管の少なくとも１つの管を熱交換器の頂部で折り曲げることにより支持されるものである。
【００１４】
これによって、熱交換器を熱交換器のいずれかの管を用いただけでは不安定のため、熱交換器上部を熱交換器のいずれかの管をコの字に折り曲げることで振動などによる熱交換器の動きを低減させることが可能になる。
【００１５】
第４の発明は、特に、第２の発明において、熱交換器は１次往き管、１次戻り管、２次往き管、２次戻り管の少なくとも１つの管を熱交換器の側面に巻きつけて配管するものである。
【００１６】
これによって、熱交換器を熱交換器のいずれかの管を用いただけでは不安定のため、熱交換器を熱交換器のいずれかの管を用いて熱交換器を側面で巻きつけることで振動などによる動きを低減することが可能である。
【００１７】
第５の発明は、特に、第２から第４のいずれか１つの発明において、熱交換器の底部における、１次往き管、１次戻り管、２次往き管、２次戻り管の少なくとも１つの管の折り曲げ形状を波型形状とするものである。
【００１８】
これによって、熱交換器底部を支持する熱交換器のいずれかの管では熱交換器を支持することは強度に問題が生じる。そこで熱交換器底部を支持するいずれかの管を底部のみ管を波型形状にすることで管の強度を増し強度問題を解決できる。
【００１９】
第６の発明は、特に、第２から第４のいずれか１つの発明において、熱交換器の底部における、１次往き管、１次戻り管、２次往き管、２次戻り管の少なくとも１つの管の折り曲げ箇所において、その管の材質を異なる材質とするものである。
【００２０】
これによって、熱交換器底部を支持する熱交換器のいずれかの管では熱交換器を支持することは強度問題が生じるため、熱交換器底部を支持するいずれかの管を底部のみ管を熱
交換器が支持できる材質に変更することで管の強度を増し強度問題を解決できる。
【００２１】
以下、本発明の実施の形態について、図面を参照しながら説明する。なお、この実施の形態によって本発明が限定されるものではない。
【００２２】
図１は、本発明の実施の形態における貯湯式給湯器の図を示すものである。
【００２３】
図１において、貯湯式給湯器１はヒートポンプユニット２と貯湯ユニット３と暖房ユニット４から構成されている。
【００２４】
ヒートポンプユニット２は、圧縮機５と水冷媒熱交換器６と膨張弁７と蒸発器８から構成されており、ヒートポンプユニット２内には冷媒が循環している。冷媒は二酸化炭素冷媒を用いる。なお、冷媒としては、他にもＲ４１０ａ等のフロン系冷媒、プロパン等の炭化水素系冷媒などが挙げられる。
【００２５】
貯湯ユニット３内には貯湯タンク９と水熱交換器１０とが内臓されている。また、暖房ユニット４には放熱手段１１が備え付けられ、放熱手段１１から放熱された熱によって床を暖める。なお、上記のように床暖房以外であっても、例えば浴室乾燥や風呂追炊き等に利用できるような形態であってもよい。
【００２６】
貯湯タンク９内の湯水を加熱する場合には、貯湯タンク９の下部に備えられた沸き上げ往き管１０から水冷媒熱交換器６へ供給され、水冷媒熱交換器６を介して加熱された湯水は沸き上げ戻り管１１を通じて貯湯タンク９の上部へ戻される。
【００２７】
また、床暖房運転を起動させたときは、貯湯タンク９の上部に備えられた１次往き管１２から水熱交換器１０へ供給されて、水熱交換器１０を介して暖房ユニット４内を循環する湯水に熱を伝える。水熱交換器１０で加熱された暖房ユニット４内の湯水は、２次戻り管１３を介して放熱手段１１へ流れ、放熱手段１１を放熱される。放熱した湯水は、２次往き管１４により再び水熱交換器１０で加熱される。
【００２８】
また、水熱交換器１０で放熱した貯湯ユニット３側の湯水は１次戻り管１５を通じて貯湯タンク９の下部に戻される。
【００２９】
図２は、水熱交換器１０の拡大して示した図である。図２のように、水熱交換器１０は１次往き管１２、２次戻り管１３、２次往き管１４、１次戻り管１５がそれぞれ接続されており、水熱交換器１０の上方から伸びている１次往き管１２を、水熱交換器１０の底部まで伸ばし、底部からコの字に曲げて水熱交換器１０を支持しつつ、再び上方側に伸ばして接続する。水熱交換器１０の上方から伸びている２次戻り管１３は水熱交換器１０の上部で接続される。また、水熱交換器１０の下方から伸びている２次往き管１４、１次戻り管１５は、水熱交換器１０の下部で接続される。
【００３０】
このような配管を行うことにより、水熱交換器１０は１次往き管１２によって支持されるので、水熱交換器１０を支持するための固定金具を貯湯タンク９側に設置する必要がなく、貯湯タンク９からの放熱を防ぐことができ、貯湯タンク９に貯えた湯水の温度低下を抑制することができる。なお、１次往き管１２に限らずその他の配管を水熱交換器１０の下部でコの字に曲げて支持するような形態であっても本実施の形態に影響を及ぼすものではない。
【００３１】
図３は、水熱交換器１０の拡大して示した図である。図３は特に図２において水熱交換器１０の上方から伸びている１次往き管１２を、水熱交換器１０の底部まで伸ばし、底部
からコの字に曲げ水熱交換器１０を支持しつつ、再び頂部まで伸ばし頂部でコの字に曲げて、水熱交換器１０に接続する。その結果、水熱交換器１０の振動などによる揺れを無くす。なお、１次往き管１２に限らずその他の配管を水熱交換器１０の下部でコの字に曲げて支持するような形態であっても本実施の形態に影響を及ぼすものではない。
【００３２】
図４は、水熱交換器１０の拡大して示した図である。図４は特に図２において２次戻り管１３を水熱交換器１０の側面に巻きつけて水熱交換器１０に接続する。その結果、水熱交換器１０の振動などによる揺れを無くしつつ接続される。なお、２次往き管１４に限らずその他の配管を水熱交換器１０の側面で巻きつけるような形態であれば本実施の形態に影響を及ぼすものではない。
【００３３】
図５は水熱交換器１０の拡大して示した側面図である。図５は特に図２において水熱交換器１０の上方から伸びている１次往き管１２を、水熱交換器１０の底部まで伸ばし、底部からコの字に曲げる際に水熱交換器１０の底部の１次往き管１２の曲げ形状を波型形状にする。これによって、水熱交換器１０のを支持する強度が増す。なお、１次往き管１２に限らずその他の配管を水熱交換器１０底部で波型形状が可能な形態であれば本実施の形態に影響を及ぼすものではない。
【００３４】
また、図５のように管の形状により強度を増す方法以外に、水熱交換器１０のを支持する箇所に対して管の素材とは異なる素材を用いて強度を増すようにしてもよい。
【産業上の利用可能性】
【００３５】
以上のように、本発明にかかる貯湯式給湯器は、放熱手段の効率が向上することで放熱手段を満足させるのに多くの時間を必要としないために経済的に優れた商品を提供できる。
【図面の簡単な説明】
【００３６】
【図１】本実施の形態の貯湯式給湯器の全体図
【図２】水熱交換器の拡大図
【図３】水熱交換器の拡大図
【図４】水熱交換器の拡大図
【図５】水熱交換器の拡大側面図
【図６】従来の貯湯式給湯器の全体図
【符号の説明】
【００３７】
９  貯湯タンク
１０  水熱交換器
１２  １次往き管
１３  ２次戻り管
１４  ２次往き管
１５  １次往き管
【図１】
2006343010.tif 000003
【図２】
2006343010.tif 000004
【図３】
2006343010.tif 000005
【図４】
2006343010.tif 000006
【図５】
2006343010.tif 000007
【図６】
2006343010.tif 000008